(57)【要約】【課題】表示すべき画像データの特性に応じた適切な補正処理を可能とし画像表示装置で高品質な画像表示を可能とする。【解決手段】画像データに対し所定の補正処理を行う情報処理装置としてのＰＣ２００と、ＰＣ２００で補正処理された画像データに基づいて画像を表示する画像表示装置としてのプロジェクタとを備えた画像表示システムであって、ＰＣ２００は、前記画像データに対して行うべき複数の補正処理のうち、ＰＣ２００で実行すべき補正処理を前記画像データの特性に基づいて設定された補正処理を前記画像データに対して実行する第１画像補正演算処理部２４０を有し、前記プロジェクタは、前記ＰＣ２００で補正処理のなされた画像データに対し、前記画像データに対して行うべき複数の補正処理のうち、前記ＰＣ２００で実行される補正処理以外の補正処理を実行する第２画像補正演算処理部を有する。【選択図】図２
2008033261.tif 000002
【特許請求の範囲】
【請求項１】
表示すべき画像データに対し所定の補正処理を行う情報処理装置と、前記情報処理装置で補正処理された画像データに基づいて画像を表示する画像表示装置とを備えた画像表示システムであって、
前記情報処理装置は、
前記画像データに対して行うべき複数の補正処理のうち、前記画像データの特性に基づいて設定された補正処理を前記画像データに対して実行する第１画像補正演算処理部を有し、
前記画像表示装置は、
前記情報処理装置で補正処理のなされた画像データに対し、前記画像データに対して行うべき複数の補正処理のうち、前記情報処理装置で実行される補正処理以外の補正処理を実行する第２画像補正演算処理部を有する、
ことを特徴とする画像表示システム。
【請求項２】
請求項１に記載の画像表示システムにおいて、
前記情報処理装置と前記画像表示装置とは信号伝送手段によって接続されていることを特徴とする画像表示システム。
【請求項３】
請求項１又は２に記載の画像表示システムにおいて、
前記情報処理装置は、前記画像データの特性を判定する画像データ特性判定部を有し、
前記第１画像補正演算処理部は、前記画像データ特性判定部により判定された画像データの特性に基づいて、前記画像データに対して行うべき複数の補正処理のうち、前記情報処理装置で実行すべき補正処理を設定することを特徴とする画像表示システム。
【請求項４】
請求項３に記載の画像表示システムにおいて、
前記画像データ特性判定部は、前記画像データの特性を前記画像データに応じて動的に判定し、
前記第１画像補正演算処理部は、前記画像データ特性判定部による判定の結果に基づいて前記情報処理装置が行うべき補正処理を動的に設定する、
ことを特徴とする画像表示システム。
【請求項５】
請求項３又は４に記載の画像表示システムにおいて、
前記画像データ特性判定部は、前記画像データが前記画像表示装置での表示品質の高さを重要視する特性を有する第１特性画像データであるか否の判定、前記画像データが前記画像表示装置への伝送速度を重要視する特性を有する第２特性画像データであるか否かの判定及び前記画像データがフレーム間において所定値以上の時間的変化を有する特性を有する第３特性画像データであるか否かの判定のうちの少なくとも１つの判定を行うことを特徴とする画像表示システム。
【請求項６】
請求項５に記載の画像表示システムにおいて、
前記画像データに対して行うべき複数の補正処理を、補正処理の順序において前半に行われる補正処理の集合である第１補正処理グループと、前記補正処理の順序において後半に行われる補正処理の集合である第２補正処理グループとに分類したとき、
前記第１画像補正演算処理部は、
前記画像データが前記第１特性画像データであると判定された場合には、前記第１補正処理グループに属する補正処理と前記第２補正処理グループに属する補正処理とを実行し、
前記画像データが前記第２特性画像データであると判定された場合及び前記画像データが前記第３特性画像データであると判定された場合のうちの少なくとも１つの場合には、
前記第１補正処理グループに属する補正処理を実行する、
ことを特徴とする画像表示システム。
【請求項７】
請求項５又は６に記載の画像表示システムにおいて、
前記画像データが前記第１特性画像データであるか否かの判定は、前記画像データが前記第１特性画像データであることを示す特性指示データに基づいて行うことを特徴とする画像表示システム。
【請求項８】
請求項５〜７のいずれかに記載の画像表示システムにおいて、
前記画像データが前記第２特性画像データであるか否かの判定は、前記画像データの圧縮率、前記画像データの解像度、前記画像データの伝送速度及び前記画像データが前記第２特性画像データであることを示す特性指示データのうちの少なくとも１つに基づいて行うことを特徴とする画像表示装置。
【請求項９】
請求項５〜８のいずれかに記載の画像表示システムにおいて、
前記画像データが前記第３特性画像データであるか否かの判定は、前記画像データにおけるフレーム間の移動ベクトルの大きさ及び前記画像データが前記第３特性画像データであることを示す特性指示データのうちの少なくとも１つに基づいて行うことを特徴とする画像表示システム。
【請求項１０】
請求項１〜９のいずれかに記載の画像表示システムにおいて、
前記情報処理装置は、前記画像データに対して行うべき複数の補正処理のうち、前記情報処理装置で行う補正処理を示す情報を、前記画像表示装置に通知する機能を有することを特徴とする画像表示システム。
【請求項１１】
請求項１〜１０のいずれかに記載の画像表示システムにおいて、
前記情報処理装置は、前記第１画像補正演算処理部で補正処理が実行された画像データを圧縮して前記画像表示装置に伝送するための伝送データを生成する伝送データ生成部を有することを特徴とする画像表示システム。
【請求項１２】
請求項１〜１１のいずれかに記載の画像表示システムにおいて、
前記情報処理装置は、前記第１画像補正演算処理部で実行する補正処理に必要な補正パラメータを記憶する補正パラメータ記憶部を有することを特徴とする画像表示システム。
【請求項１３】
画像表示装置で表示すべき画像データに対し所定の補正処理を行う情報処理装置であって、
前記画像データに対して行うべき複数の補正処理のうち、前記画像データの特性に基づいて設定された補正処理を前記画像データに対して実行する画像補正演算処理部を有することを特徴とする情報処理装置。
【請求項１４】
表示すべき画像データの特性に応じた補正処理を実行する情報処理装置によって補正処理された画像データに基づいて画像を表示する画像表示装置であって、
前記補正処理された画像データに対し、前記画像データに対して行うべき複数の補正処理のうち、前記情報処理装置で実行される補正処理以外の補正処理を実行する画像補正演算処理部を有することを特徴とする画像表示装置。
【請求項１５】
請求項１４に記載の画像表示装置において、
前記画像補正演算処理部は、前記情報処理装置で実行される補正処理以外の補正処理を、前記情報処理装置から通知される前記画像データに対して行うべき複数の補正処理のうち、前記情報処理装置で行う補正処理を示す情報に基づいて設定する機能を有することを
特徴とする画像表示装置。
【請求項１６】
画像表示装置で表示すべき画像データに対し所定の補正処理を行う画像補正演算処理部を有する情報処理装置における画像補正プログラムであって、
前記画像補正演算処理部に、
前記画像データに対して行うべき複数の補正処理のうち、前記画像データの特性に基づいて設定された補正処理を前記画像データに対して実行させるためのステップを有することを特徴とする情報処理装置における画像補正プログラム。
【請求項１７】
表示すべき画像データの特性に応じた補正処理を実行する情報処理装置によって補正処理された画像データに対し、所定の補正処理を実行可能な画像補正演算処理部を有する画像表示装置における画像補正プログラムであって、
前記画像補正演算処理部に、
前記補正処理された画像データに対し、前記画像データに対して行うべき複数の補正処理のうち、前記情報処理装置で実行される補正処理以外の補正処理を実行させるためのステップを有することを特徴とする画像表示装置における画像補正プログラム。
【発明の詳細な説明】
【技術分野】
【０００１】
本発明は、画像表示システム、画像表示システムに用いる情報処理装置、画像表示システムに用いる画像表示装置、情報処理装置における画像補正プログラム及び画像表示装置における画像補正プログラムに関する。
【背景技術】
【０００２】
表示すべき画像データを供給する情報処理装置としてのパーソナルコンピュータ（ＰＣという）と、ＰＣで画像処理された画像をスクリーンに投射するプロジェクタとを備えた画像表示システムが知られている。
【０００３】
このような画像表示システムにおいては、ＰＣからプロジェクタに伝送された画像データは、プロジェクタ側の画像処理装置により、各種の補正処理が行われる。なお、補正処理としては、例えば、解像度変換、輪郭強調、白黒伸張、形状補正、色変換、γ補正、ＶＴ−γ補正、ゴースト補正、クロストーク補正、色ムラ補正など多種の補正処理がある。
【０００４】
このため、プロジェクタ内の画像処理装置が大規模となり、高コスト化の要因ともなっている。また、より一層の高画質化を実現するには、高精度な処理が必要となり、高性能な画像処理装置を搭載する必要があるため、高コスト化がさらに進むことになる。
【０００５】
このような問題に対処するために、上記した各種補正処理をＰＣ側で行い、補正処理後の画像データをＵＳＢケーブルなどの信号伝送手段によってプロジェクタに送信する画像表示システムがある（例えば、特許文献１及び特許文献２参照）。
【０００６】
このような画像表示システムにおいては、画像処理の殆どをＰＣ上で行っているため、プロジェクタの構成を非常に簡素化することができる。また、元来、ＰＣは、ＧＰＵ（Graphic Processor Unit）などのグラフィック処理機能を有するので、ＰＣに新たに機能を付加することなく、高精度な画像補正を行うことができる。
【０００７】
【特許文献１】特開２００４−６９９９６号公報
【特許文献２】特開２００４−８８１９４号公報
【発明の開示】
【発明が解決しようとする課題】
【０００８】
特許文献１及び特許文献２に開示された画像表示システムは、ＰＣとプロジェクタとがＵＳＢケーブルを用いて接続された構成となっている。このため、ハイビジョン規格のような高精細画像を６０フレーム／秒の伝送レートで伝送することは困難である。したがって、ＰＣ側では補正処理後の画像データを圧縮処理してプロジェクタに送信することが一般的であり、特に画像データが動画像の場合、フレームごとに変化した部分の差分データを送信することが行われている。
【０００９】
しかしながら、ＰＣにて各画像データに全ての補正処理を行うと、画像データが高精細に補正されることとなるが、その一方で、画像データ中の大半の画素に及ぶ補正処理が施されるため、前画像データとの差分データをとるにしても、前フレームの画像データと現フレームの画像データとではほとんどの画素に変化が生じていることとなる。
【００１０】
そのため、差分データをとってもデータ圧縮率が低くなってしまうので、ＰＣからプロジェクタへの伝送データが非常に大きくなる。すると、ＰＣからプロジェクタへのデータ
伝送が間に合わずプロジェクタによる画像表示のフレームレートが適切に維持されないという問題が生じる。
【００１１】
ここで、例えば、差分データが大きくなりすぎないように、画像補正の程度を低く抑制することも考えられるが、表示画像の品質が低下するので適切な方法とはいえない。また、差分データを取る際に画像フレーム間における細やかな変化を検出しないように差分データを粗くすれば差分データを小さくできるが、プロジェクタで再現される現画像データには情報が不足することとなり、やはり、表示画像の品質が低下するので適切な方法とはいえない。
【００１２】
そこで本発明は、表示すべき画像データの特性に応じてＰＣ側とプロジェクタ側とで行う補正処理を動的に変化させることにより、表示すべき画像データの特性に応じた適切な補正処理を可能とするとともに画像表示装置での画像表示のフレームレートを適切に維持可能とし、高品質な画像表示を可能とする画像表示システム、画像表示システムに用いるための情報処理装置、画像表示システムに用いるための画像表示装置、情報処理装置における画像補正プログラム及び画像表示装置における画像補正プログラムを提供することを目的とする。
【課題を解決するための手段】
【００１３】
（１）本発明の画像表示システムは、表示すべき画像データに対し所定の補正処理を行う情報処理装置と、前記情報処理装置で補正処理された画像データに基づいて画像を表示する画像表示装置とを備えた画像表示システムであって、前記情報処理装置は、前記画像データに対して行うべき複数の補正処理のうち、前記画像データの特性に基づいて設定された補正処理を前記画像データに対して実行する第１画像補正演算処理部を有し、前記画像表示装置は、前記情報処理装置で補正処理のなされた画像データに対し、前記画像データに対して行うべき複数の補正処理のうち、前記情報処理装置で実行される補正処理以外の補正処理を実行する第２画像補正演算処理部を有することを特徴とする。
【００１４】
本発明の画像表示システムにおいては、情報処理装置側では、画像データの特性に基づいて情報処理装置側で行うべき補正処理を設定して、設定した補正処理を実行する。一方、画像表示装置では、情報処理装置側で実行される以外の補正処理を実行する。このように、画像データの特性に応じて、情報処理装置側で実行する補正処理と画像表示装置側で実行する補正処理とを動的に変化させるようにしている。これにより、画像データの特性に応じた補正処理が可能となるとともに、動画像に対応する画像データなどのように、圧縮率の低い画像データに対して補正処理を行っても、画像表示装置での画像表示のフレームレートを適切に維持可能とし、画像表示装置では適切なフレームレートで画像を表示することができ、高品質な画像表示が可能となる。
【００１５】
（２）前記（１）に記載の画像表示システムにおいては、前記情報処理装置と前記画像表示装置とは信号伝送手段によって接続されていることが好ましい。
本発明の画像表示システムにおいて用いる信号伝送手段は、例えば、ＵＳＢケーブルなどの伝送レートに大きな制約のある信号伝送手段を想定している。このような信号伝送手段によって情報処理装置と画像表示装置とを接続した場合であっても、前記（１）に示した構成とすることにより、画像表示装置では適切なフレームレートで画像を表示することができ、高品質な画像表示が可能となる。
【００１６】
（３）前記（１）又は（２）に記載の画像表示システムにおいては、前記情報処理装置は、前記画像データの特性を判定する画像データ特性判定部を有し、前記第１画像補正演算処理部は、前記画像データ特性判定部により判定された画像データの特性に基づいて、前記画像データに対して行うべき複数の補正処理のうち、前記情報処理装置で実行すべき
補正処理を設定することが好ましい。
このような構成によれば、画像データ特性判定部によって画像データの特性を判定することができ、判定された画像データの特性に基づいて、情報処理装置で実行すべき補正処理を適切に設定することができる。
【００１７】
（４）前記（３）に記載の画像表示システムにおいては、前記画像データ特性判定部は、前記画像データの特性を前記画像データに応じて動的に判定し、前記第１画像補正演算処理部は、前記画像データ特性判定部による判定の結果に基づいて前記情報処理装置が行うべき補正処理を動的に設定することが好ましい。
【００１８】
これは、例えば、表示すべき画像データが複数存在する場合、画像データ特性判定部は、複数の画像データの各画像データごとに当該画像データの特性を判定し、第１画像補正演算処理部は、画像データ特性判定部による判定結果に基づいて、各画像データごとに情報処理装置が行うべき補正処理を設定するというものである。これにより、表示すべき画像データに応じて情報処理装置が行うべき補正処理を適切に設定することができる。また、表示すべき画像データが映画などの画像データである場合、各シーンに対応した画像データテの特性に応じて、情報処理装置が行うべき補正処理を設定するということも可能となる。
【００１９】
（５）前記（３）又は（４）に記載の画像表示システムにおいては、前記画像データ特性判定部は、前記画像データが前記画像表示装置での表示品質の高さを重要視する特性を有する第１特性画像データであるか否の判定、前記画像データが前記画像表示装置への伝送速度を重要視する特性を有する第２特性画像データであるか否かの判定及び前記画像データがフレーム間において所定値以上の時間的変化を有する特性を有する第３特性画像データであるか否かの判定のうちの少なくとも１つの判定を行うことが好ましい。
【００２０】
これにより、画像データの特性を適切に判定することができる。この場合、「画像表示装置での表示品質の高さを重要視する第１特性画像データ」としては、例えば、静止画像に対応する画像データがその一例として挙げられる。また、「画像表示装置への伝送速度を重要視する特性を有する第２特性画像データ」及び「画像データがフレーム間において所定値以上の時間的変化を有する特性を有する第３特性画像データ」としては、例えば、動画像に対応する画像データがその一例として挙げられる。
【００２１】
ただし、動画像であっても、全体的に動きの少ない画像(例えば、全体的には動きの殆どない風景をパノラマ的効果を得るためにカメラを左右方向に移動させながら撮影した画像)又は一部のみに動きのある画像（例えば、全体的には動きの殆どない風景の一部に水の流れが存在するような画像）などに対応する画像データは、第１特性画像データとして判定することが好ましい。
【００２２】
このように、画像データの特性に応じて、情報処理装置側で行うべき補正処理と画像表示装置側で行うべき補正処理とを適切に設定させることにより、画像データの特性に応じた補正処理が可能となるとともに、動画像に対応する画像データなどのように、圧縮率の低い画像データに対して補正処理を行っても、画像表示装置での画像表示のフレームレートを適切に維持可能とし、画像表示装置では適切なフレームレートで画像を表示することができ、高品質な画像表示が可能となる。
【００２３】
（６）前記（５）に記載の画像表示システムにおいては、前記画像データに対して行うべき複数の補正処理を、補正処理の順序において前半に行われる補正処理の集合である第１補正処理グループと、前記補正処理の順序において後半に行われる補正処理の集合である第２補正処理グループとに分類したとき、前記第１画像補正演算処理部は、前記画像デ
ータが前記第１特性画像データであると判定された場合には、前記第１補正処理グループに属する補正処理と前記第２補正処理グループに属する補正処理とを実行し、前記画像データが前記第２特性画像データであると判定された場合及び前記画像データが前記第３特性画像データであると判定された場合のうちの少なくとも１つの場合には、前記第１補正処理グループに属する補正処理を実行することが好ましい。
【００２４】
これは、例えば、画像データに対する補正処理が、解像度変換、輪郭強調、白黒伸張、形状補正、色変換、γ補正、ＶＴ−γ補正、ゴースト補正、クロストーク補正、色ムラ補正というような順番で行われるものとすれば、解像度変換、輪郭強調、白黒伸張、形状補正、色変換、γ補正及びＶＴ−γ補正を前半に行われる補正処理の集合である第１補正処理グループとし、ゴースト補正、クロストーク補正及び色ムラ補正を後半に行われる補正処理の集合である第２補正処理グループというようにグループ分けするものである。
【００２５】
そして、情報処理装置の第１画像補正演算処理部は、画像データが第１特性画像データであると判定された場合には、第１補正処理グループに属する補正処理と第２補正処理グループに属する補正処理とを実行し、画像データが第２特性画像データであると判定された場合及び画像データが前記第３特性画像データであると判定された場合のうちの少なくとも１つの場合には、前記第１補正処理グループに属する補正処理を実行する。このように、情報処理装置で行う補正処理を画像データの特性に応じて設定することにより、画像データに応じた補正処理が可能となる。
【００２６】
なお、第１補正処理グループに属する補正処理は、主として、画像データにおける画素単位で行う処理であるため、情報処理装置での補正処理では、個々の画素のデータが所定の変換を受けるだけとなり、補正処理後の画像データを圧縮して伝送する場合、補正処理前の画像の段階で画像データを圧縮する場合と、補正処理後の画像の段階で画像データを圧縮する場合とで圧縮率が大きく変化しない。
【００２７】
よって、情報処理装置で補正処理を行った画像データを、例えば、ＵＳＢケーブルなどの伝送レートに大きな制約のある信号伝送手段によって画像表示装置に伝送した場合でも、画像表示装置では適切なフレームレートで画像を表示することができる。これにより、動画像に対応する画像データなどのように、圧縮率の低い画像データに対して第１補正処理グループに属する補正処理を行ったとしても、画像表示装置での画像表示のフレームレートを適切に維持可能とし、画像表示装置では適切なフレームレートで画像を表示することができ、高品質な画像表示が可能となる。
【００２８】
また、静止画像のように表示品質が重要視される画像の場合は、前記第１補正処理グループに属する補正処理及び第２補正処理グループに属する補正処理の両方を情報処理装置で実行することにより、高精度な補正処理が可能となり、画像表示装置での表示画像をより高品質なものとすることができる。
なお、第１補正処理グループに属する補正処理及び第２補正処理グループに属する補正処理は必要に応じて選択して行うことができる。
【００２９】
（７）前記（５）又は（６）に記載の画像表示システムにおいては、前記画像データが前記第１特性画像データであるか否かの判定は、前記画像データが前記第１特性画像データであることを示す特性指示データに基づいて行うことが好ましい。
【００３０】
このように、画像データが第１特性画像データであることを示す特性指示データを例えばメタデータとして画像データに付加しておくことによって、画像データ特性判定部は、当該画像データが第１特性画像データを有した画像であることを容易かつ適切に判定することができる。
特に、画像データが第１特性画像データ（画像表示装置での表示品質を重要視する特性を有する画像データ）であるか否かはユーザの主観によって決められる場合が多く、自動的には判定しにくい。したがって、表示すべき画像データに、当該画像データが第１特性画像データであることを示すメタデータを付加しておくことで、画像データ特性判定部では、当該画像データが第１特性画像データであることを容易かつ適切に判定することができる。
【００３１】
（８）前記（５）〜（７）のいずれかに記載の画像表示システムにおいては、前記画像データが前記第２特性画像データであるか否かの判定は、前記画像データの圧縮率、前記画像データの解像度、前記画像データの伝送速度及び前記画像データが前記第２特性画像データであることを示す特性指示データのうちの少なくとも１つに基づいて行うことが好ましい。
【００３２】
このように、前記画像データが前記第２特性画像データであるか否かは、前記画像データの圧縮率、解像度、前記画像データの伝送速度及び前記画像データが前記第２特性画像データであることを示すメタデータのうちの少なくとも１つに基づいて行うことができる。すなわち、圧縮率が低ければデータ量が多くなるため、より高い伝送レートで伝送する必要があり、また、解像度が高い場合もデータ量が大きくなるため、より高い伝送レートで伝送する必要がある。また、画像データがより高速な伝送速度で伝送する必要のある画像データである場合にも、より高い伝送レートで伝送する必要がある。
【００３３】
したがって、画像データ特性判定部では、画像データの圧縮率、画像データの解像度及び画像データの伝送速度の少なくとも１つに基づいて、当該画像データが第２特性画像データであるか否か（画像表示装置への伝送速度を重要視する特性を有する画像データであるか否か）を判定することができる。また、画像データが第２特性画像データであることを示す特性指示データを例えばメタデータとして画像データに付加しておくことによっても、画像データ特性判定部では、そのメタデータによって当該画像データが第２特性画像データを有した画像であることを容易かつ適切に判定することができる。
【００３４】
これらのことから、画像データ特性判定部では、画像データの圧縮率、画像データの解像度、画像データの伝送速度及び前記画像データが前記第２特性画像データであることを示す特性指示データのうちの少なくとも１つに基づいて、画像データが第２特性画像データであるか否かを判定することができる。
【００３５】
（９）前記（５）〜（８）のいずれかに記載の画像表示システムにおいては、前記画像データが前記第３特性画像データであるか否かの判定は、前記画像データにおけるフレーム間の移動ベクトルの大きさ及び前記画像データが前記第３特性画像データであることを示す特性指示データのうちの少なくとも１つに基づいて行うことが好ましい。
【００３６】
このように、画像データ特性判定部では、画像データにおけるフレーム間の移動ベクトルの大きさに基づいて、当該画像データが第３特性画像データであるか否か（フレーム間において所定値以上の時間的変化を有する特性を有する画像データであるか否か）の判定を行うことができる。なお、画像データにおけるフレーム間の移動ベクトルの大きさは、例えば、画像データのブロック単位の移動ベクトルの大きさを当該画像データのフレーム間において求め、各ブロック単位の移動ベクトルの積算値又は平均値などで判定することができる。
【００３７】
また、画像データが第３特性画像データであることを示す特性指示データを例えばメタデータとして画像データに付加しておくことによっても、画像データ特性判定部では、そのメタデータにより当該画像データが第３特性画像データであることを容易かつ適切に判
定することができる。
【００３８】
これらのことから、画像データ特性判定部では、前記画像データにおけるフレーム間の移動ベクトルの大きさ及び前記画像データが前記第３特性画像データであることを示すメタデータのうちの少なくとも１つに基づいて、画像データが第３特性画像データであるか否かを判定することができる。
【００３９】
（１０）前記（１）〜（９）のいずれかに記載の画像表示システムにおいては、前記情報処理装置は、前記画像データに対して行うべき複数の補正処理のうち、前記情報処理装置で行う補正処理を示す情報を、前記画像表示装置に通知する機能を有することを特徴とする画像表示システム。
【００４０】
このように、情報処理装置は、自身が行う補正処理を示す情報を画像表示装置に通知する機能を有することによって、画像表示装置では、情報処理装置がどのような補正処理を行ったかを知ることができ、それによって、画像表示装置は自身が行うべき補正処理を適切に設定することができる。
【００４１】
（１１）前記（１）〜（１０）のいずれかに記載の画像表示システムにおいては、前記情報処理装置は、前記第１画像補正演算処理部で補正処理が実行された画像データを圧縮して前記画像表示装置に伝送するための伝送データを生成する伝送データ生成部を有することが好ましい。
これにより、補正処理後の画像データを所定の圧縮方式により圧縮した画像データを生成することができるので、情報処理装置側で補正処理を行った画像データを例えばＵＳＢケーブルなどの伝送レートに大きな制約のある信号伝送手段によって画像表示装置に伝送する場合でも、動画像などにおいて画像データの欠落を生じることなく適切に画像表示装置に伝送することができる。
【００４２】
（１２）前記（１）〜（１１）のいずれかに記載の画像表示システムにおいては、前記情報処理装置は、前記第１画像補正演算処理部で実行する補正処理に必要な補正パラメータを記憶する補正パラメータ記憶部を有することが好ましい。
【００４３】
前記画像補正パラメータ記憶部には、解像度変換、輪郭強調、白黒伸張、形状補正、色変換、γ補正、ＶＴ−γ補正、ゴースト補正、クロストーク補正、色ムラ補正などの各種の補正処理を行う際に必要な補正パラメータを記憶させておく。このように、各種の補正処理を行う際に必要な補正パラメータを記憶する画像補正パラメータ記憶部を有することで、情報処理装置は、画像データの特性に応じた補正処理を実行する際に必要な補正パラメータを適切かつ容易に取得することができる。
【００４４】
これら各種の補正パラメータは、画像表示装置から取得するようにしてもよく、また、これら各種の補正パラメータを記録したメモリカードやＣＤ−ＲＯＭなどから情報処理装置が取得して画像補正パラメータ記憶部に記憶させるようにしてもよい。なお、これら各種の補正パラメータは、ユーザがＰＣのキーボードなどから新たに追加、変更なども可能とする。
【００４５】
（１３）本発明の情報処理装置は、画像表示装置で表示すべき画像データに対し所定の補正処理を行う情報処理装置であって、前記画像データに対して行うべき複数の補正処理のうち、前記画像データの特性に基づいて設定された補正処理を前記画像データに対して実行する画像補正演算処理部を有することを特徴とする。
情報処理装置をこのような構成とすることにより、（１）に記載の画像表示システムに好適な情報処理装置とすることができる。なお、（１３）に記載の情報処理装置において
も、前記（２）〜（１２）の画像表示システムの特徴を有することが好ましい。
【００４６】
（１４）本発明の画像表示装置は、表示すべき画像データの特性に応じた補正処理を実行する情報処理装置によって補正処理された画像データに基づいて画像を表示する画像表示装置であって、前記補正処理された画像データに対し、前記画像データに対して行うべき複数の補正処理のうち、前記情報処理装置で実行される補正処理以外の補正処理を実行する画像補正演算処理部を有することを特徴とする。
画像表示装置をこのような構成とすることにより、（１）に記載の画像表示システムに好適な画像表示装置とすることができる。
【００４７】
（１５）前記（１４）に記載の画像表示装置においては、前記画像補正演算処理部は、前記情報処理装置で実行される補正処理以外の補正処理を、前記情報処理装置から通知される前記画像データに対して行うべき複数の補正処理のうち、前記情報処理装置で行う補正処理を示す情報に基づいて設定する機能を有することを特徴とする。
画像表示装置の画像補正演算処理部がこのような機能を有することにより、画像表示装置の画像補正演算処理部は、画像表示装置側で行うべき補正処理を適切に設定することができる。
【００４８】
（１６）本発明の情報処理装置における画像補正プログラムは、画像表示装置で表示すべき画像データに対し所定の補正処理を行う画像補正演算処理部を有する情報処理装置における画像補正プログラムであって、前記画像補正演算処理部に、前記画像データに対して行うべき複数の補正処理のうち、前記画像データの特性に基づいて設定された補正処理を前記画像データに対して実行させるためのステップを有することを特徴とする。
【００４９】
このような画像補正プログラムを情報処理装置にインストールすることにより、情報処理装置の画像補正演算処理部では、情報処理装置が行うべき補正処理を画像データの特性に応じて設定し、設定した補正処理を実行することができる。なお、（１６）に記載の情報処理装置における画像補正プログラムにおいても、前記（３）〜（１０）の画像表示システムの特徴を有することが好ましい。
【００５０】
（１７）本発明の画像表示装置における画像補正プログラムは、表示すべき画像データの特性に応じた補正処理を実行する情報処理装置によって補正処理された画像データに対し、所定の補正処理を実行可能な画像補正演算処理部を有する画像表示装置における画像補正プログラムであって、前記画像補正演算処理部に、前記補正処理された画像データに対し、前記画像データに対して行うべき複数の補正処理のうち、前記情報処理装置で実行される補正処理以外の補正処理を実行させるためのステップを有することを特徴とする。
【００５１】
このような画像補正プログラムを画像表示装置にインストールすることにより、画像表示装置の画像補正演算処理では、情報処理装置で実行される以外の補正処理を実行することができる。なお、（１７）に記載の画像表示装置における画像補正プログラムにおいても、前記（１５）の画像表示装置の特徴を有することが好ましい。
【発明を実施するための最良の形態】
【００５２】
以下、本発明の実施形態について説明する。
図１は本発明の実施形態に係る画像表示システムの外観構成を示す図である。本発明の実施形態に係る画像表示システム１００は、図１に示すように、表示すべき画像データに各種の補正処理を含む画像処理を行った上でその画像データを出力する情報処理装置としてのＰＣ２００と、ＰＣ２００からの画像データに基づいて表示画像データを生成して、生成した表示画像データに対応する画像をスクリーン４００に向けて投射する画像表示装置としてのプロジェクタ３００と、プロジェクタ３００とＰＣ２００とを接続する信号伝
送手段として例えばＵＳＢケーブル５００とを備えている。
【００５３】
図２はＰＣ２００の機能ブロック図である。
図３はプロジェクタ３００の機能ブロック図である。
図４はプロジェクタ３００における画像投射部３６０の構成を示す図である。
図５は本発明の実施形態に係る画像表示システムの動作を説明するフローチャートである。
【００５４】
ＰＣ２００は、図２に示すように、ＣＰＵ２０１、メインメモリ２０２、補助メモリ２０３、ディスプレイ２０４、キーボード２０５、画像補正パラメータ記憶部２１０、画像処理部２２０、ＵＳＢコネクタ２７０を備えている。
補助メモリ２０３は、表示すべき画像データ（以下では単に画像データという）などを記憶する。なお、画像データは、ＤＶＤ（Digital Versatile Disc）などに記憶されていてもよい。
【００５５】
画像補正パラメータ記憶部２１０は、画像補正演算処理部２４０で実行する補正処理に必要な補正パラメータを記憶する。この補正パラメータについては後述する。
画像処理部２２０は、画像生成部２３０と、画像補正演算処理部（第１画像補正演算処理部）２４０と、伝送データ生成部としてのエンコーダ２５０と、画像データ特性判定部２８０とを有している。
画像生成部２３０は、デコーダ２３１及びＩＰ変換部２３２を有し、画像データのデータ形式に応じた解凍を行って各フレームごとの画像データを生成する。
【００５６】
画像データ特性判定部２８０は、プロジェクタ３００から取得したコンテンツ評価プログラム（コンテンツ評価ソフトという）によって、画像データの特性を判定する。なお、プロジェクタ３００から取得したコンテンツ評価ソフトは補助メモリ２０３などに記憶させておくことができる。なお、コンテンツ評価ソフトは、ＰＣ２００とプロジェクタ３００との接続時に一度だけ取得すればよい。
【００５７】
画像データ特性判定部２８０は、画像データがプロジェクタ３００での表示品質の高さを重要視する特性を有する画像データ（第１特性画像データという）であるか否の判定、画像データがプロジェクタ３００への伝送速度を重要視する特性を有する画像データ（第２特性画像データという）であるか否かの判定及び画像データがフレーム間において所定値以上の時間的変化を有する特性を有する画像データ（第３特性画像データという）であるか否かの判定のうちの少なくとも１つの判定を行う。
【００５８】
画像補正演算処理部２４０は、画像補正パラメータ記憶部２１０に記憶された補正パラメータを用いて、画像データの特性に応じた補正処理を行う。また、画像補正演算処理部２４０は、画像データに対して行うべき複数の補正処理のうちのどの補正処理をＰＣ２００側で行うかを示す情報（補正処理指示情報という）を生成する機能を有する。この補正処理指示情報は、所定のタイミング（後述する）でプロジェクタ３００に通知される。
【００５９】
エンコーダ２５０は、画像補正演算処理部２４０で補正処理が実行された画像データを圧縮してプロジェクタ３００に伝送するための伝送データを生成するものである。具体的には、画像補正演算処理部２４０にて補正された画像データに対し、最新のフレームの画像データと１つ前のフレームの画像データを対比して、変化分を差分データとして抽出する機能を有する。差分データは空間変化量と色調的変化量とを含む。
ＵＳＢコネクタ２７０は、データ入力部２７１と、データ出力部２７２とを備え、ＵＳＢケーブル５００を介してプロジェクタ３００との間でデータの入出力を行う。
【００６０】
次にプロジェクタ３００の構成について説明する。
プロジェクタ３００は、図３に示すように、画像補正パラメータ記憶部３１０と、画像処理部３２０と、駆動制御部３５０と、画像投射部３６０と、ＵＳＢコネクタ３８０とを備えている。
【００６１】
画像補正パラメータ記憶部３１０に記憶される補正パラメータは、解像度変換、輪郭強調、白黒伸張、形状補正、色変換、γ補正、ＶＴ−γ補正、ゴースト補正、クロストーク補正、色ムラ補正などを行うための各パラメータがある。なお、ゴーストとは映像がずれて重なって見える現象であり、クロストークとは隣の画素に対する信号の漏れ電流により画素が駆動されることによる画像のムラである。
【００６２】
画像処理部３２０は、画像生成部３２１と、画像補正演算処理部（第２画像補正演算処理部）３４０とを備えている。画像生成部３２１は、デコーダ３２２と、表示画像生成部３２３とを備えている。
デコーダ３２２は、ＰＣ２００から伝送されてきた符号化された画像データ（補正処理を含む画像処理のなされた画像データ）をデコードする。
【００６３】
表示画像生成部３２３は、現在投射している画像に対応するフレームの画像データに対して、デコーダ３２２によりデコードされた差分データを合成して、次に投射すべき画像データを生成する。
【００６４】
画像補正演算処理部３４０は、ＰＣ２００から通知される補正処理指示情報に基づいて、プロジェクタ３００側で実行すべき補正処理を設定する機能を有している。そして、画像補正演算処理部３４０は、表示画像生成部３２３にて生成された画像データに対して補正処理を行う。なお、画像補正演算処理部３４０が行う補正処理は、ＰＣ２００で実行される補正処理以外の補正処理である。
駆動制御部３５０は画像投射部３６０を駆動するための制御信号を出力する。
【００６５】
画像投射部３６０は、図４に示されるように、概略的には、光源部３６１と、二枚のレンズアレイ３６４と、色分離光学系３６５と、電気光学変調装置３７１と、クロスダイクロイックプリズム３７５と、投射光学系３７６とを有している。
【００６６】
このような構成において、光源３６２からの光は、リフレクタ３６３で平行光束にされ、二枚のレンズアレイ３６４を通って色分離光学系３６５に進む。色分離光学系３６５は、赤色（Ｒ）を反射して緑（Ｇ）及び青色（Ｂ）を通過させるダイクロイックミラー３６６と、緑色を反射して青色を通過させるダイクロイックミラー３６７とを有し、光を赤色、緑色、青色に分離する。
【００６７】
そして、赤色は反射ミラー３６８で反射され、緑色はダイクロイックミラー３６７で反射され、青色は２枚の反射ミラー３６９ａ，３６９ｂを有するリレー光学系３６９に導かれる。そして、赤色は電気光学変調装置３７１の赤色用液晶パネル（光変調装置）３７２、緑色は緑色用液晶パネル（光変調装置）３７３、青色は青色用液晶パネル（光変調装置）３７４にそれぞれ入射する。各色は各液晶パネル３７２〜３７４において画像データに応じた所定の変調を受けて、クロスダイクロイックプリズム３７５で合成される。合成された画像は投射光学系３７６から射出され、スクリーン４００上に拡大投射される。
なお、図４に示す画像投射部３６０は一例であって、図４に示される構成に限られるものではない。
【００６８】
ところで、画像補正パラメータ記憶部３１０に記憶される補正パラメータ（解像度変換、輪郭強調、白黒伸張、形状補正、色変換、γ補正、ＶＴ−γ補正、ゴースト補正、クロ
ストーク補正、色ムラ補正などの各パラメータ）を用いた各種の各補正処理は、所定の順序で時系列的に行われるものである。
【００６９】
本発明の実施形態では、上記した各種の補正処理を補正処理の順番に基づいて、前半に行われる補正処理と後半に行われる補正処理とに分けて、前半に行われる補正処理を第１補正処理グループ、後半に行われる補正処理を第２補正処理グループとする。
【００７０】
すなわち、上記した各種の補正処理において、例えば、解像度変換、輪郭強調、白黒伸張、形状補正、色変換、γ補正、ＶＴ−γ補正、ゴースト補正、クロストーク補正、色ムラ補正というような順番で行われるものとすれば、本発明の実施形態では、解像度変換、輪郭強調、白黒伸張、形状補正、色変換、γ補正及びＶＴ−γ補正を前半に行われる第１補正処理グループとし、ゴースト補正、クロストーク補正及び色ムラ補正を後半に行われる第２補正処理グループとする。
【００７１】
第１補正処理グループに属する各種の補正処理及び第２補正処理グループに属する補正処理の中の色ムラ補正は、主には画素単位で行われる補正処理であり、また、第２補正処理グループに属する補正処理（色ムラ補正は除く）は、近隣の複数画素にまたがって行う必要のある補正処理である。なお、色ムラ補正は、最終段階の補正処理として行われることにより効率的で適切な補正処理が可能となるため、ゴースト補正やクロストーク補正の後に行うことが好ましい。
【００７２】
画素単位で行われる補正処理は、個々の画素のデータが所定の変換を受けるだけとなり、補正処理後の画像データを圧縮して伝送する場合、補正処理前の画像の段階で画像データを圧縮する場合と、補正処理後の画像の段階で画像データを圧縮する場合とで圧縮率が大きく変化しない。よって、情報処理装置側で補正処理を行った画像データを例えばＵＳＢケーブルなどの伝送レートに大きな制約のある信号伝送手段によって画像表示装置に伝送した場合でも、画像表示装置では適切なフレームレートで画像を表示することができる。
【００７３】
一方、近隣の複数画素にまたがって行う必要のある補正処理（例えば、ゴースト補正、クロストーク補正など）は、これらの補正処理後の画像データは、広範囲の領域に他の画像データの影響が及ぼされたものとなるため、原画像データを圧縮する場合と比較して、圧縮率を高くできない。
【００７４】
このため、静止画像のように、伝送速度が問題とならない画像の場合は、このような近隣の複数画素にまたがって行う必要のある補正処理もＰＣ側で行うことも可能であり、それにより、より高精度な補正を行うことができる。これに対して、動画像のように伝送速度が重要視される画像の場合、近隣の複数画素にまたがって行う補正処理は、プロジェクタ側で行うことが好ましい。
【００７５】
このような構成を備えた本発明の実施形態に係る画像表示システムの動作を図５のフローチャートを参照して説明する。
まず、ＰＣ２００とプロジェクタ３００とをＵＳＢケーブル５００で接続する（ステップＳ１）。ＰＣ２００は、コンテンツ評価ソフトをプロジェクタ３００から取得する（ステップＳ２）。
【００７６】
また、ＰＣ２００は、プロジェクタ３００に記憶されているプロジェクタの仕様や特性に応じた各種の補正パラメータを取得する（ステップＳ３）。取得した各種の補正パラメータは、画像補正パラメータ記憶部２１０に記憶させておく。画像補正パラメータ記憶部２１０に記憶される補正パラメータとしては、解像度変換、輪郭強調、白黒伸張、形状補
正、色変換、γ補正及びＶＴ−γ補正など第１補正処理グループに属する補正処理を行う際に必要な各補正パラメータと、ゴースト補正、クロストーク補正及び色ムラ補正など第２補正処理グループに属する補正処理を行う際に必要な各補正パラメータがある。
【００７７】
また、ＰＣ２００では、ＣＰＵ２０１がＤＶＤなどを制御し、画像データをメインメモリ２０２に読み込む（ステップＳ４）。続いて、ＰＣ２００の性能（ハードウエア構成、処理能力など）をチェックする（ステップＳ５）。なお、ＰＣ２００の性能は、例えば、ＣＰＵの性能、メモリの容量、ドライバのバージョンなどから判断することが可能である。
【００７８】
ＰＣ２００の画像生成部２３０は、画像データのデータ形式によって、デコードやＩＰ変換（インタレース／プログレッシブ変換）などの画像処理を行い、１フレーム分の画像データを生成して（ステップＳ６）、メインメモリ２０２に記憶する。そして、画像生成部２３０によって生成された１フレーム分の画像データに対し、画像補正演算処理部２４０が補正処理を行う（ステップＳ７）。
【００７９】
次に、メインメモリ２０２に記憶された１フレーム分の画像データについての補正処理について説明する。この補正処理を行う際、画像補正演算処理部２４０は、画像データ特性判定部２８０による画像データの特性の判定結果に基づいて、自身がどのような補正処理を行うかを設定する。
【００８０】
このとき、画像データ特性判定部２８０は、画像データが第１特性画像データ（プロジェクタ３００での表示品質の高さを重要視する特性を有する画像データ）であるか否の判定、画像データが第２特性画像データ（プロジェクタ３００への伝送速度を重要視する特性を有する画像データ）であるか否かの判定及び画像データが第３特性画像データ（画像データがフレーム間において所定値以上の時間的変化を有する特性を有する画像データ）であるか否かの判定のうちの少なくとも１つの判定を行う。
【００８１】
ここで、第１特性画像データとして判定されるべき画像データに対しては、当該画像データが第１特性画像データであることを示す特性指示データを例えばメタデータとして当該画像データに付加しておくことが好ましい。これにより、画像データ特性判定部２８０は、画像データに付加されたメタデータから当該画像データが第１特性画像データであることを容易かつ適切に判定することができる。
【００８２】
また、画像データが第２特性画像データであるか否かの判定は、画像データの圧縮率、画像データの解像度、画像データの伝送速度及び画像データが前記第２特性画像データであることを示す特性指示データのうちの少なくとも１つに基づいて行うことができる。
例えば、圧縮率が低ければデータ量が多くなるため、より高い伝送レートで伝送する必要があり、また、解像度が高い場合もデータ量が大きくなるため、より高い伝送レートで伝送する必要がある。また、画像データがより高速な伝送速度で伝送する必要のある画像データである場合にも、より高い伝送レートで伝送する必要がある。
【００８３】
したがって、画像データ特性判定部２８０では、画像データの圧縮率、画像データの解像度及び画像データの伝送速度の少なくとも１つに基づいて、当該画像データが第２特性画像データであるか否かを判定することができる。また、表示すべき画像データが第２特性画像データであることを示す特性指示データを例えばメタデータとして画像データに付加しておくことによっても、画像データ特性判定部２８０では、そのメタデータにより当該画像データが第２特性画像データを有した画像であることを容易かつ適切に判定することができる。
【００８４】
また、画像データが第３特性画像データであるか否かの判定は、画像データにおけるフレーム間の移動ベクトルの大きさ及び画像データが前記第３特性画像データであることを示す特性指示データのうちの少なくとも１つに基づいて行うことができる。
【００８５】
なお、画像データにおけるフレーム間の移動ベクトルの大きさは、例えば、画像データのブロック単位の移動ベクトルの大きさを当該画像データのフレーム間において求め、各ブロック単位の移動ベクトルの積算値又は平均値などで判定することができる。また、表示すべき画像データが第３特性画像データであることを示す特性指示データを例えばメタデータとして画像データに付加しておくことによっても、画像データ特性判定部２８０では、そのメタデータにより当該画像データが第３特性画像データであることを容易かつ適切に判定することができる。
【００８６】
画像データ特性判定部２８０が以上のような判定処理を行うことによって、画像データの特性を判定することができる。
画像データ特性判定部２８０によって画像データが第２特性画像データとして判定された場合、当該画像データは、動画像に対応する画像データであると考えられるが、動画像であっても、全体的に動きの少ない画像(例えば、全体的には動きの殆どない風景をパノラマ的効果を得るためにカメラを水平方向に移動させながら撮影した画像)又は一部のみに動きのある画像（例えば、全体的には動きの殆どない風景の一部に水の流れが存在するような画像）などは、第１特性画像データ（プロジェクタ３００での表示品質を重要視する特性を有する画像データ）と同様の補正処理を行った方が好ましい場合もある。
【００８７】
また、画像データ特性判定部２８０によって画像データが第３特性画像データとして判定された場合も、当該画像データは、動画像に対応する画像データであると考えられるが、この場合も上記したように全体的に動きの少ない画像又は一部のみに動きのある画像などは、第１特性画像データと同様の補正処理を行った方が好ましい場合もある。
【００８８】
したがって、圧縮率及び時間的変化の値に適切な閾値を設定することにより、動画像であっても、第１特性画像データとして判定することが可能となり、第１特性画像データと同様の補正処理を行うことができる。
【００８９】
なお、画像データ特性判定部２８０は、画像データの特性を動的に判定可能とし、また、画像補正演算処理部２４０は、前記画像データ特性判定部２８０による判定結果に基づいて情報処理装置２００が行うべき補正処理を動的に設定可能としている。
例えば、表示すべき画像データが複数存在する場合には、複数の画像データの各画像データごとに当該画像データが第１特性画像データ、第２特性画像データ及び第３特性画像データのいずれかの特性を有しているかを判定し、その判定結果に基づいて情報処理装置２００が行うべき補正処理を動的に設定する。
【００９０】
また、複数の画像データの各画像データごとだけではなく、映画などのある１つの画像データであっても、当該画像データのシーンごとに、当該シーンが第１特性画像データ、第２特性画像データ及び第３特性画像データのいずれかの特性を有しているかを判定し、その判定結果に基づいて情報処理装置２００が行うべき補正処理を設定することも可能である。
【００９１】
なお、以下の説明では、画像データ特性判定部２８０により、画像データが第２特性画像データであると判定された場合と、画像データが第１特性画像データであると判定された場合とについて説明する。なお、第２特性画像データは動画像であって、第１特性画像データは静止画像であるとする。
【００９２】
〔画像データが第２特性画像データである場合〕
画像データが第２特性画像データであると判定されると、まず、画像補正演算処理部２４０は、ＰＣ２００側で行うべき補正処理に必要な補正パラメータを決める。なお、ＰＣ２００側で行うべき補正処理は、画像データ特性判定部２８０による画像データ特性判定結果によって設定されるが、ＰＣ２００側で実行可能な補正処理は、ＰＣ２００の性能（ハードウエア構成や処理能力など）によってある程度制限される。ここでは、画像補正演算処理部２４０は、画像データの特性及びＰＣ２００の性能に基づいて、第１補正処理グループに属する補正処理をＰＣ２００側で行うことが可能であると判断したとする。このように、ＰＣ２００側でどのような補正処理が実行可能であるか否かをチェックする処理処理は、図５におけるステップＳ５の処理である。
【００９３】
また、画像補正演算処理部２４０は、ＰＣ２００側で実行可能な補正処理を設定すると、ＰＣ２００側でどのような補正処理を実行するかを示す補正処理指示情報を生成する。この補正処理指示情報は、所定のタイミングでプロジェクタ３００に通知される。補正処理指示情報をプロジェクタ３００側に通知するタイミングは、特に限定されるものではないが、画像補正演算処理部２４０によって補正処理された画像データをプロジェクタ３００に伝送する際に行うことが可能である。例えば、エンコーダにより伝送データを生成する際に、１フレーム分の画像データのヘッダに書き込まれることによって、プロジェクタ３００に通知することが可能である。
【００９４】
この場合、第１補正処理グループに属する補正処理についてはＰＣ２００側で実行されるので、第２補正処理グループに属する補正処理ついてはプロジェクタ３００側で実行されることとなる。そして、ＰＣ２００側では、図５のステップＳ６において生成された１フレーム分の画像データに対し、第１補正処理グループに属する補正処理が行われ（ステップＳ７）、補正処理された１フレーム分の画像データをエンコードする（ステップＳ８）。そして、エンコードされた１フレーム分の画像データは、ＵＳＢケーブル５００によりプロジェクタ３００に伝送される（ステップＳ９）。
なお、エンコードする際、１フレーム前の画像データとの差分を求め、求められた差分データをプロジェクタ３００に伝送する方法もある。本発明の実施形態ではＰＣ２００からは差分データをプロジェクタ３００に伝送するものとする。
【００９５】
一方、プロジェクタ３００側では、ＰＣ２００から伝送されてきた１フレーム分の画像データ（差分データ）をデコーダ３２２によりデコードし（ステップＳ１０）、デコードされた差分データを、表示画像生成部３２３にて現在表示している画像データに合成し、次に表示すべき１フレーム分の画像データ（次フレーム画像データという）を生成する（ステップＳ１１）。
【００９６】
続いて、ステップＳ１１で生成された次フレーム画像データを画像補正演算処理部３４０にて補正処理する（ステップＳ１２）。このとき、画像補正演算処理部３４０は、画像データのヘッダに書き込まれた補正処理指示情報から、ＰＣ２００側ではどのような補正処理がなされているかを判断し、その結果に基づいて、自身が実行すべき補正処理を設定する。この場合、画像補正演算処理部３４０が実行すべき補正処理は、第２補正処理グループに属する補正処理（クロストーク補正、ゴースト補正及び色ムラ補正など）を行う。なお、必要に応じて輝度ムラ補正なども行う。
【００９７】
このようにして次フレーム画像データが生成されると、生成された次フレーム画像データを表示するための制御信号が駆動制御部３５０から画像投射部３６０に出力される。これにより、次フレーム画像データを表示するための駆動制御がなされ（ステップＳ１３）、画像投射部３６０からスクリーン４００に向けて画像が投射されて、スクリーン４００上に画像が表示される（ステップＳ１４）。
【００９８】
なお、第１補正処理グループに属する補正処理及び第２補正処理グループに属する補正処理は、必要に応じて選択して実行することができる。これは、以下に示す「画像データが第１特性画像データである場合」も同様である。
【００９９】
〔画像データが第１特性画像データである場合〕
画像データ特性判定部２８０により画像データが第１特性画像データであると判定された場合も、画像データが第２特性画像データの場合と同様に、メインメモリ２０２に記憶された１フレーム分の画像データについての補正処理（ステップＳ７）を行う。
【０１００】
画像データが第１特性画像データである場合には、第１補正処理グループに属する補正処理と第２補正処理グループに属する補正処理の両方をＰＣ２００側で行う。なお、ＰＣ２００側で行うべき補正処理は、前述した「画像データが第２特性画像データである場合」と同様、画像データ特性判定部２８０による画像データ特性判定結果によって設定されるが、ＰＣ２００側で実行可能な補正処理は、ＰＣ２００の性能（ハードウエア構成や処理能力など）によってある程度制限される。ここでは、画像補正演算処理部２４０は、画像データの特性及びＰＣ２００の性能に基づいて、第１補正処理グループに属する補正処理と第２補正処理グループに属する補正処理の両方をＰＣ２００側で実行可能であると判断したとする。
【０１０１】
また、画像補正演算処理部２４０は、ＰＣ２００側で実行可能な補正処理を設定すると、ＰＣ２００側でどのような補正処理を実行するかを示す補正処理指示情報を生成する。この補正処理指示情報は、前述の動画像の場合と同様に、例えば、エンコーダ２５０により伝送データを生成する際に、１フレーム分の画像データのヘッダに補正処理指示情報を書き込ことによりプロジェクタ３００に通知することができる。
【０１０２】
画像データが第１特性画像データである場合、第１補正処理グループに属する補正処理及び第２補正処理グループに属する補正処理の両方をＰＣ２００側で行うこととなる。すなわち、ＰＣ２００側では、解像度変換、輪郭強調、白黒伸張、形状補正、色変換、γ補正及びＶＴ−γ補正などの第１補正処理グループに属する補正処理の他に、クロストーク補正、ゴースト補正及び色ムラ補正などの第２補正処理グループに属する補正処理をも行う（ステップＳ７）。このように、画像データが第１特性画像データである場合は、クロストーク補正、ゴースト補正及び色ムラ補正をもＰＣ２００側で行うため、より高精度な補正が可能となる。
【０１０３】
そして、ＰＣ２００側において、これら各種の補正が行われると、補正処理された１フレーム分の画像データをエンコードし（ステップＳ８）、エンコードされた画像データをプロジェクタ３００に伝送する（ステップＳ９）。この場合も差分データを伝送するものとする。なお、圧縮率を大きくすることができない場合には、そのままの画像データをプロジェクタ３００側に伝送する。
【０１０４】
一方、プロジェクタ３００側では、図５のステップＳ１０〜Ｓ１４に示す処理を行う。すなわち、ＰＣ２００から伝送されてきた１フレーム分の画像データを受信し、差分データが伝送されてきた場合には差分データをデコーダ３２２によりデコードし、表示画像生成部３２３にて、デコードされた差分データを現在表示している画像データに合成して次フレーム画像データを生成する。
【０１０５】
そして、生成された次フレーム画像データを画像補正演算処理部３４０にて補正処理する。このとき、画像補正演算処理部３４０は、画像データのヘッダに書き込まれた補正処理指示情報に基づいて、ＰＣ２００側ではどのような補正処理がなされているかを判断し
、その結果に基づいて自身が実行すべき補正処理を設定する。この場合、ＰＣ２００側では、第１補正処理グループに属する補正処理及び第２補正処理グループに属する補正処理が行われているので、画像補正演算処理部３４０においてはこれらの補正処理以外に実行すべき補正処理があればその補正処理を実行する。
そして、補正処理のなされた次フレーム画像データを表示するための駆動制御がなされ、画像投射部３６０からスクリーンに向けて画像が投射されて、スクリーン上に画像が表示される。
【０１０６】
以上説明したように本発明の実施形態によれば、画像データ特性判定部２８０は、画像データが第１特性画像データ（プロジェクタ３００での表示品質の高さを重要視する特性を有する画像データ）であるか否の判定、画像データが第２特性画像データ（プロジェクタ３００への伝送速度を重要視する特性を有する画像データ）であるか否かの判定及び第３特性画像データ（画像データがフレーム間において所定値以上の時間的変化を有する特性を有する画像データ）であるか否かの判定のうちの少なくとも１つの判定を行う。そして、画像データ特性判定部２８０による画像データ特性判定結果に基づいて、ＰＣ２００側で行うべき補正と、プロジェクタ３００側で行う補正とを動的に変化させるようにしている。
【０１０７】
例えば、画像データが動画像に対応する画像データであって、当該画像データが第２特性画像データであると判定された場合には、第１補正処理グループに属する補正処理をＰＣ２００側で行い、第２補正処理グループに属する補正処理についてはプロジェクタ３００側で行う。
また、画像データが静止画像に対応する画像データであって、当該画像データが第１特性画像データであると判定された場合には、第１補正処理グループに属する補正処理及び第２補正処理グループに属する補正処理の両方をＰＣ２００側で行う。
【０１０８】
ところで、第１補正処理グループに属する補正処理は、主として、画像中の画素単位で行う処理であるため、ＰＣ２００側での補正処理では、個々の画素のデータが所定の変換を受けるだけとなり、補正処理前の段階で画像データを圧縮する場合と、補正処理後の段階で画像データを圧縮する場合とで圧縮率が大きく変化しない。よって、ＰＣ２００で補正処理を行った画像データを、例えば、ＵＳＢケーブルなどの伝送レートに大きな制約のある信号伝送手段によってプロジェクタ３００に伝送した場合でも、プロジェクタ３００では適切なフレームレートで画像を表示することができる。これにより、動画像に対応する画像データなどのように、圧縮率の低い画像データに対して第１補正処理グループに属する補正処理を行ったとしても、画像表示装置での画像表示のフレームレートを適切に維持可能とし、画像表示装置では適切なフレームレートで画像を表示することができ、高品質な画像表示が可能となる。
【０１０９】
また、解像度変換、輪郭強調、白黒伸張、形状補正、色変換、γ補正及びＶＴ−γ補正などの補正をＰＣ２００側で行うことにより、ＰＣ２００が有するＧＰＵなどのグラフィック処理機能により演算が可能となるため、動画像においてもリアルタイムで高精度な補正処理が可能となる。ちなみに、色変換などの補正をプロジェクタ３００内の画像処理手段によって行った場合、回路構成の制限により、ＲＧＢ３次元の色空間内において線形近似で色変換される部分が殆どであり、精度の高い色変換処理は困難であったが本発明ではそれを改善することができる。これは、色変換のみならず、他の補正処理についても同様のことが言える。
【０１１０】
一方、静止画像のように表示品質が重要視される画像の場合は、第１補正処理グループに属する補正処理と第２補正処理グループに属する補正処理の両方をＰＣ２００側で行う。このように、処理速度や伝送速度よりも高い表示品質が要求される静止画像のような画
像の場合は、ＰＣ２００側で第１補正処理グループに属する補正処理だけでなく、第２補正処理グループに属する補正処理を行う。これにより、より高精度な補正処理が可能となるため、プロジェクタ３００によって表示される表示画像の品質をより一層高めることができる。
【０１１１】
以上説明したように、本発明の実施形態に係る画像表示システムによれば、ＰＣ２００側で行う補正処理とプロジェクタ３００側で行う補正処理とを画像データの特性に応じて動的に変化させるので、動画像や静止画像など画像データの特性に応じた補正処理が可能となるとともに、プロジェクタでの画像表示のフレームレートを適切に維持可能とし、高品質な画像表示が可能となる。
【０１１２】
なお、画像データが動画像であっても、例えば、全体的に動きの少ない画像(例えば、全体的には動きの殆どない風景をパノラマ的効果を得るためにカメラを左右方向に移動させながら撮影した画像)、一部のみに動きのある画像（例えば、全体的には動きの殆どない風景の一部に水の流れが存在するような画像）又は空間周波数が低く時間変化のない画像（一面に広がる空や雪原など）においては、静止画像と同様、またはそれに準じた補正処理、すなわち、ＰＣ２００側での補正処理をより多くすることが好ましい。また、静止画像であっても、プレゼンテーション用の画像などように、高品質な画像が特に要求されない場合には、プロジェクタ３００側での補正処理をより多くすることも可能である。
【０１１３】
また、本発明の実施形態に係る画像表示システムによれば、ＰＣ２００側で行う補正処理とプロジェクタ３００側で行う補正処理とを、画像データの特性に応じて動的に変化させることができる。
これにより、例えば、全ての補正処理（第１補正処理グループ及び第２補正処理グループに属する補正処理）をプロジェクタ３００側で行うことのできるハードウエア構成をプロジェクタに持たせる場合であっても、当該プロジェクタにおいてはこれらの補正処理のそれぞれを限られた精度で実行可能な程度に性能を抑えることができるので、本発明の実施形態に係る画像表示システムに用いるプロジェクタ３００は、通常のプロジェクタよりもコストを低く抑えることができる。
【０１１４】
なお、このようなプロジェクタを用いた場合であっても、本発明の実施形態に係る画像表示システムによれば、高精度な補正処理を必要とする画像を表示しようとする場合には、より高性能なＰＣを用いることによって、高精度な補正処理が可能となり、また、高品質な表示が特に要求されない画像である場合には、性能の低い安価なＰＣや携帯型の情報処理端末などでも使用可能となり、極端な例として、すべての補正処理をプロジェクタ側で行うことも可能となる。
【０１１５】
なお、本発明は前述の実施形態に限られるものではなく、本発明の要旨を逸脱しない範囲で種々変形実施可能となるものである。
例えば、前述の実施形態では、ＰＣ２００での補正処理に必要な各種の補正パラメータ（第１補正処理グループに属する補正処理を行うに必要な補正パラメータ及び第２補正処理グループに属する補正処理を行うに必要な補正パラメータ）は、ＰＣ２００とプロジェクタ３００とを接続した際に、ＰＣ２００がプロジェクタ３００から、これら各種の補正パラメータを取得して画像補正パラメータ記憶部２１０に記憶させるようにしたが、これら各種の補正パラメータを記録したメモリカードやＣＤ−ＲＯＭなどから、ＰＣ２００が取得して画像補正パラメータ記憶部２１０に記憶させるようにしてもよい。
また、これら各種の補正パラメータは、ユーザがＰＣ２００のキーボードなどから新たに追加、変更なども可能とする。
【０１１６】
また、前述の実施形態では、解像度変換、輪郭強調、白黒伸張、形状補正、色変換、γ
補正及びＶＴ−γ補正を前半に行われる第１補正処理グループとし、ゴースト補正、クロストーク補正及び色ムラ補正を後半に行われる第２補正処理グループというように、グループ分けしたが、これに限られるものではなく、画像データのデータ量や圧縮率などに応じて、例えば、ゴースト補正及びクロストーク補正のいずれかを第１補正処理グループとするということも可能である。
【０１１７】
また、前述の実施形態では、画像データの特性に応じた補正処理を行う補正処理モードとして、第１補正処理グループに属する補正処理を行う補正処理モード（補正処理モードＡという）と、第１補正処理グループに属する補正処理及び第２補正処理グループに属する補正処理の両方を行う補正処理モード（補正処理モードＢという）とを例示したが、現在の補正処理モードが補正処理モードＡであるか補正処理モードＢであるかをユーザに表示可能とする機能をＰＣ２００に設けるようにしてもよい。その表示方法としては、補正処理モード表示用インジケータなどをＰＣ２００の画面に表示し、その補正処理モード表示用インジケータにより、現在の補正処理モードが補正処理モードＡであるか、補正処理モードＢであるかを表示するといった方法がある。このような補正処理モードの表示は、プロジェクタ３００側で行うことも可能である。
【０１１８】
また、前述の実施形態では、画像表示装置としてプロジェクタを例にとって説明したが、プロジェクタに限られるものではなく、例えば、ＣＲＴや液晶ディスプレイなどに画像を表示する直視型の画像表示装置であってもよい。
【０１１９】
また、前述の実施形態では、画像データの圧縮方法として、差分データをとる場合について説明したが、その他の圧縮方法であってもよい。
また、前述の実施形態では、情報処理装置としてＰＣを例にとって説明したが、ＰＣに限られるものではなく、例えば、各種ゲーム機、ＤＶＤプレーヤ、フォトビューアなどであってもよい。
【０１２０】
また、前述の実施形態において説明したＰＣ２００側における補正処理を当該ＰＣ２００の画像補正演算処理部２４０に実行させるための情報処理装置における画像補正プログラムを各種の記録媒体に記録させておくことも可能である。また、同様に、プロジェクタ３００側における補正処理を当該プロジェクタ３００の画像補正演算処理部３４０に実行させるための画像表示装置における画像補正プログラムを各種の記録媒体に記録させておくことも可能である。
したがって、本発明は、これら情報処理装置における画像補正プログラムを記録した記録媒体及び画像表示装置における画像補正プログラムを記録した記録媒体をも含むものである。また、これら各画像補正プログラムはネットワークから取得するようにしてもよい。
【図面の簡単な説明】
【０１２１】
【図１】本発明の実施形態に係る画像表示システムの外観構成を示す図。
【図２】ＰＣ２００の機能ブロック図。
【図３】プロジェクタ３００の機能ブロック図。
【図４】プロジェクタ３００における画像投射部３６０の構成を示す図。
【図５】本発明の実施形態に係る画像表示システムの動作を説明するフローチャート。
【符号の説明】
【０１２２】
１００・・・画像表示システム、２００・・・ＰＣ（情報処理装置）、２１０・・・画像補正パラメータ記憶部、２２０・・・画像処理部、２３０・・・画像生成部、２４０・・・画像補正演算処理部（第１画像補正演算処理部）、２５０・・・エンコーダ（伝送デ
ータ生成部）、２７０・・・ＵＳＢコネクタ、２８０・・・画像データ特性判定部、３００・・・プロジェクタ（画像表示装置）、３１０・・・画像補正パラメータ記憶部、３２０・・・画像処理部、３２１・・・画像生成部、３４０・・・画像補正演算処理部（第２画像補正演算処理部）、３５０・・・駆動制御部、３６０・・・画像投射部、３８０・・・ＵＳＢコネクタ
【図１】
2008033261.tif 000003
【図２】
2008033261.tif 000004
【図３】
2008033261.tif 000005
【図５】
2008033261.tif 000006
【図４】
2008033261.tif 000007